(57)【要約】【課題】照明に導光体を用いた読取画像の両側端部に発現する明度の低下を補正するイメージ読取装置を提供する。【解決手段】主走査方向において黒背景部の画素のドット数と、黒背景部に隣接して明度低下の影響を受けるデータ媒体の画素のドット列に対してドットごとに低下した明度の補正値を示す明度補正テーブルを用意する。イメージメモリに展開されたデータ媒体の画像データ２９の主走査方向に矢印ｊ及びｋで示す往復走査をしながら明度補正する。往路の走査で背景データｅ１の計数した黒ドット数と明度補正テーブルとに基づいて背景データｅ１に続く画像データ２９の明度低下部２９ａのドット列に明度補正を行う。復路の走査で背景データｅ２の計数した黒ドット数と明度補正テーブルとに基づいて背景データｅ２に続く画像データ２９の明度低下部２９ｂのドット列に明度補正を行う。【選択図】図１０
2014204147.tif 000002
【特許請求の範囲】
【請求項１】
データ媒体のデータ画像を主走査方向に読み取ることを副走査方向に順次行うイメージ読取装置において、
光源と、
該光源の光を導きながら拡散させて前記データ媒体の前記データ画像を照明する導光体と、
前記データ媒体を搬送すべく前記導光体に対向して配置され前記データ媒体に対し黒色背景を形成するデータ媒体搬送系と、
該データ媒体搬送系により前記副走査方向に搬送される前記データ媒体の前記導光体にて照明される前記データ画像を前記主走査方向に読み取る光センサと、
該光センサに結像される前記データ画像の前記主走査方向の両端部の所定範囲の画素の明度を黒色背景画素数対応テーブルに基づいて補正する補正手段と、
を有することを特徴とするイメージ読取装置。
【請求項２】
前記データ媒体は、伝票または通帳である、ことを特徴とする請求項１記載のイメージ読取装置。
【請求項３】
前記導光体は、前記データ媒体の前記主走査方向に沿って配置された棒状の光拡散部材から成る、ことを特徴とする請求項１記載のイメージ読取装置。
【請求項４】
前記光源は、前記導光体の両端部に配置される、ことを特徴とする請求項１記載のイメージ読取装置。
【請求項５】
前記黒色背景画素数対応テーブルは、前記所定範囲の画素の順位と、該順位で並ぶ画素列に続く前記黒色背景の画素数とが対応するマトリクス枠内に、前記所定範囲の画素の画素ごとに設定された明度増加度を記述されている、ことを特徴とする請求項１記載のイメージ読取装置。
【請求項６】
前記補正手段は、前記黒色背景画素数対応テーブルの前記所定範囲の画素の画素ごとに設定された明度増加度に基づいて前記画素の明度を補正する、ことを特徴とする請求項１記載のイメージ読取装置。
【請求項７】
光源と、該光源の光を導きながら拡散させてデータ媒体のデータ画像を照明する導光体と、該導光体に対向して配置され前記データ媒体を搬送し該データ媒体に対し黒色背景を形成するデータ媒体搬送系と、該データ媒体搬送系により副走査方向に搬送される前記データ媒体の前記導光体にて照明される前記データ画像を主走査方向に読み取ることを前記副走査方向に順次行う光センサと、
を備え、該光センサにより読み取られた前記データ画像の読取画像の両側端部に発現する明度低下を補正する補正方法であって、
前記明度低下の部分に存在する前記主走査方向の画素数と、該画素数の端部に続く前記黒色背景の画素数とが対応するマトリクス枠内に、前記明度低下の部分に存在する前記主走査方向の画素数の画素ごとに設定された明度増加度を記述されている明度補正テーブルを生成するテーブル生成工程と、
該明度補正テーブルの前記画素ごとに設定された前記明度増加度に基づいて前記明度低下の部分に存在する前記主走査方向の前記画素の明度を補正する補正工程と、
を含むことを特徴とするイメージ読取方法。
【請求項８】
前記導光体は、前記データ媒体の前記主走査方向に沿って配置された棒状の光拡散部材から成る、ことを特徴とする請求項７記載のイメージ読取方法。
【請求項９】
前記光源は、前記導光体の両端部に配置される、ことを特徴とする請求項７記載のイメージ読取方法。
【発明の詳細な説明】
【技術分野】
【０００１】
本発明は、照明に導光体を用いた読み取り画像の両側端部に発現する明度の低下を補正するイメージ読取装置を提供する。
【背景技術】
【０００２】
従来、顧客が金融機関等に赴いて振込み等を行う場合、ＡＴＭ（Automatic Teller Machine）を用いて自分で行うか、予め記入した振込み依頼用紙と通帳又は現金を持って窓口に行って依頼するか２通りに分かれる。
【０００３】
通常、金融機関等の窓口には、窓口担当者の脇に画像読取装置が常備されており、窓口担当者は、控えのコピー等を作成するために、画像読取装置を用いて、振込み依頼用紙と通帳の記載面を読み取らせるようにしている。
【０００４】
このような画像読取装置は、ときにより画像出力が変動して、読取で得られた画像に部分的な明度の差が現れることがある。これに対して、例えば、光源の光量などの変化等により画像出力が変動した場合でも適切なリニアリティ補正を実現し、画像品質の劣化を防止することが可能な画像読取装置が提案されている。（例えば、特許文献１参照。）
この特許文献１の技術は、例えば、段落［００３３］等を見ると、各画素に応じた補正量を持たせる補正テーブルとして、センサチップの先頭画素位置から一定画素間隔で定義した一般処理用画素用の補正テーブルと、チップ端部周辺の画素について画素単位で定義するチップ端処理用の補正テーブルとが用意されている。
【０００５】
また、特許文献１の段落［００３５］等を見ると「光源１１の点灯時間は、読み取りラインの１周期に対応して、複数のパルス制御された光源を点灯させ」との記載が見られ、主走査方向に複数配置された光源からの光が導光体の先端から原稿に照射されるものであることが読み取れる。
【先行技術文献】
【特許文献】
【０００６】
【特許文献１】特開２００８−２５２２１７号公報
【発明の概要】
【発明が解決しようとする課題】
【０００７】
ところで、画像読取装置の原稿を照らす照明光には、原稿の主走査方向に沿って配置されたＬＥＤアレイから成るライン光源からの照明光、特許文献１のように主走査方向に複数配置された光源の光を導光体の先端から出射する照明光、主走査方向に直線的に配置した導光体の両端部の光源の光を導光体軸の直交方向に拡散照射させる照明光などがある。
【０００８】
一般に、銀行等の窓口担当者の近傍に常備されている不定形の原稿を読み取る画像読取装置では、白地系の原稿の読み取り幅を確認するためと、ごみ等の汚れが読取画像の背景に入り込まないようにするために、読取センサに対向する原稿搬送路の部材は黒色で構成されている場合が多い。
【０００９】
また、このような画像読取装置で画像を読み取るための照明に導光体を用いた場合、その読み取り画像の両側部の明度が中央部よりも低下する現象が起きる。このように読み取り画像の両側端部に明度の低い部分があると、その部分に印刷された文字や数字の形状が不鮮明になり、読取処理に続く画像認識処理で誤認識が起きるという不具合が生じる。
【００１０】
しかし、特許文献１には、光源の光量などの変化等に対処するための画素の明度の補正についての記載はあるものの、照明に導光体を用いた場合に光源の光量に変化が無くても生じる読み取り画像の中央部と両側端部の明度の違いについては何も取り上げられていない。
【００１１】
本発明は、上記従来の課題を解決するものであって、銀行等の金融機関の窓口に常備されている画像読取装置の照明に導光体を用いても読み取り画像の両側端部に発現する明度の低下を容易に補正できるイメージ読取装置を提供することを目的とする。
【課題を解決するための手段】
【００１２】
上記課題を解決するために、本発明のイメージ読取装置は、データ媒体のデータ画像を主走査方向に読み取ることを副走査方向に順次行う画像読取装置において、光源と、該光源の光を導きながら拡散させて上記データ媒体の上記データ画像を照明する導光体と、上記データ媒体を搬送すべく上記導光体に対向して配置され上記データ媒体に対し黒色背景を形成するデータ媒体搬送系と、該データ媒体搬送系により上記副走査方向に搬送される上記データ媒体の上記導光体にて照明される上記データ画像を上記主走査方向に読み取る光センサと、該光センサに結像される上記データ画像の上記主走査方向の両端部の所定範囲の画素の明度を黒色背景画素数対応テーブルに基づいて補正する補正手段と、を有して構成される。
【００１３】
このイメージ読取装置において、上記データ媒体は、例えば、伝票または通帳であり、上記導光体は、例えば、上記データ媒体の上記主走査方向に沿って配置された棒状の光拡散部材から成り、上記光源は、例えば、上記導光体の両端部に配置され、上記黒色背景画素数対応テーブルは、例えば、上記所定範囲の画素数と、該画素数に続く上記黒色背景の画素数とが対応するマトリクス枠内に、上記所定範囲の画素数の画素ごとに設定された明度増加度を記述され、上記補正手段は、例えば、上記黒色背景画素数対応テーブルの上記所定範囲の画素数の画素ごとに設定された明度増加度に基づいて上記画素の明度を補正する、ように構成される。
【００１４】
次に、上記課題を解決するために、本発明のイメージ読取方法は、光源と、該光源の光を導きながら拡散させてデータ媒体のデータ画像を照明する導光体と、該導光体に対向して配置され上記データ媒体を搬送し該データ媒体に対し黒色背景を形成するデータ媒体搬送系と、該データ媒体搬送系により副走査方向に搬送される上記データ媒体の上記導光体にて照明される上記データ画像を主走査方向に読み取ることを上記副走査方向に順次行う光センサと、を備え、該光センサにより読み取られた上記データ画像の読取画像の両側端部に発現する明度低下を補正する補正方法であって、上記明度低下の部分に存在する上記主走査方向の画素数と、該画素数の端部に続く上記黒色背景の画素数とが対応するマトリクス枠内に、上記明度低下の部分に存在する上記主走査方向の画素数の画素ごとに設定された明度増加度を記述されている明度補正テーブルを生成するテーブル生成工程と、該明度補正テーブルの上記画素ごとに設定された上記明度増加度に基づいて上記明度低下の部分に存在する上記主走査方向の上記画素の明度を補正する補正工程と、を含んで構成される。
【００１５】
上記導光体は、例えば、上記データ媒体の上記主走査方向に沿って配置された棒状の光拡散部材から成り、上記光源は、例えば、上記導光体の両端部に配置される、ように構成される。
【発明の効果】
【００１６】
本発明は、銀行等の金融機関の窓口に常備されているイメージ読取装置の照明に導光体を用いても読み取り画像の両側端部に発現する明度の低下を容易に補正できるので、読取処理に続く画像認識処理において誤認識が起きる不具合を防止することができる。
【００１７】
また、樹脂製の安価な導光体によって光を拡散させてデータ媒体を一様に照明する方式を用いることができるので、低廉なイメージ読取装置を提供することができる。
【図面の簡単な説明】
【００１８】
【図１】本発明の実施例１に係るイメージ読取装置の外観斜視図である。
【図２】実施例１に係るイメージ読取装置の筐体と蓋部材を取り除いた内部の構成を模式的に示す断面図である。
【図３】実施例１に係るイメージ読取装置のイメージスキャナの反射光入射口の近傍内部に配置される照明部を構成する光源と導光体とその作用を示す図である。
【図４】実施例１に係るイメージスキャナの反射光入射口より内部上方に配置される読取部を構成する集光レンズとＣＣＤを導光体とデータ媒体と共に示す図である。
【図５】実施例１に係るイメージスキャナの周囲の黒い背景と共にＣＣＤに結像したデータ媒体の画像を示す図である。
【図６】実施例１に係るイメージスキャナにおいてデータ媒体の画像の両側端部の明度が低下する原因が周囲の黒い背景であることを説明する図である。
【図７】(a),(b)はデータ媒体の画像の両側端部の明度が低下する現象を数値的に確認するために記録面幅の異なるデータ媒体で紙面両側端部の明度低下部分がどのように変化するか調べた実験の態様を示す図である。
【図８】図７に示す実験に基づいて黒背景部の幅に対応するデータ媒体の側端部の明度低下部の幅との関係を示す図表（明度補正テーブル）である。
【図９】(a)は実施例１に係るイメージ読取装置のイメージ読取処理を行う回路ブロック図、(b)はそのＣＣＤ波形処理回路で行われる処理のフローチャートである。
【図１０】図９(a)に示す回路ブロックの画像デジタル化部によってイメージメモリに展開されたデータ媒体のデジタル画像データを示す図である。
【図１１】データ媒体の中央部分に黒ベタ画像が存在する場合の例を示す図である。
【発明を実施するための形態】
【００１９】
以下、本発明の実施の形態について、図面を参照しながら詳細に説明する。
［実施例１］
図１は、実施例１に係るイメージ読取装置の外観斜視図である。図１に示すように、イメージ読取装置１は、底部と後部に連続して形成された筐体２と、上部と前部に連続して形成された蓋部材３とにより内部装置が覆われている。
【００２０】
蓋部材３の前部は傾斜面４を形成しており、傾斜面４の中央部は大きく切り欠かかれている。切り欠き部の右横の傾斜面４には操作パネル部５が配置され、切り欠き部には、装置内部に、データ媒体としての伝票や通帳を出し入れするための伝票口６と通帳口７が配置されている。
【００２１】
図２は、イメージ読取装置１の筐体２と蓋部材３を取り除いた内部の構成を模式的に示す断面図である。なお、同図には図１と同一の構成部分には図１と同一の番号を付与して示している。図２に示す下部フレーム８の上面には総合搬送路９が形成されている。
【００２２】
前述した伝票口６に続く伝票搬送路１１には、伝票搬送路１１を挟んで２対の伝票搬送ローラ対１２が配置されている。また、通帳口７に続く通帳搬送路１３には、通帳搬送路１３を挟んで２対の通帳搬送ローラ対１４が配置されている。
【００２３】
伝票搬送路１１と通帳搬送路１３の終端は、それぞれ総合搬送路９に合流する。その合流点には、上下いずれかへ回動するセパレータ１５が配置されている。セパレータ１５の配置部より装置の奥（図の右方）に続く総合搬送路９の上方には、装置手前（図の左方）から奥に、印字ヘッド１６、イメージスキャナ１７、頁めくりユニット１８が配設されている。
【００２４】
イメージスキャナ１７と頁めくりユニット１８の配設部には、総合搬送路９を挟んで前後２対の搬送ローラ対１９及び２１がそれぞれ配設されている。搬送ローラ対１９と１９の間に、イメージスキャナ１７の読取部である反射光入射口２２が、上方から総合搬送路９内に突出している。
【００２５】
この反射光入射口２２に対向する総合搬送路９の下面（下部フレーム８の上面）に黒ローラ２３が配置されている。上記のイメージスキャナ１７は、詳しくは後述するが、光源、導光体、集光レンズ、ＣＣＤ(Charge Coupled Device）等で構成されている。
【００２６】
このイメージ読取装置１は、データ媒体が伝票口６又は通帳口７から挿入されると、イメージスキャナ１７でデータ媒体のデータ記録面の読み取りを行い、必要に応じて印字ヘッド１６によって印字を行う。
【００２７】
そして、それらの内部での処理が完了すると、各部の搬送ローラ対を逆回転させて、データ媒体を伝票口６又は通帳口７を介して外部に排出して顧客に返却する。上記のセパレータ１５はデータ媒体を返却する際の排出方向を選択する機構部である。
【００２８】
図３は、イメージスキャナ１７の反射光入射口２２の近傍内部に配置される照明部を構成する光源と導光体と、その作用を示す図である。図３に示す導光体２４は、データ媒体（伝票や通帳）の主走査方向（図２の紙面奥行き方向）に沿って配置される棒状の光拡散部材で構成されている。
【００２９】
導光体２４の両端部には、光源２５が配設されている。光源２５は、それぞれ２個の高輝度ＬＥＤ（light emitting diode）２６と、これら高輝度ＬＥＤ２６を搭載した基板２７とで構成されている。
【００３０】
導光体２４は、光源２５の光を破線ａで示すように導光体２４の軸に沿って導きながら、その光を破線ｂで示すように外部に拡散させて、データ媒体のデータ記録面のデータ画像を照明する。この導光体２４から拡散して外部に照射される照明光２８は、導光体２４の全面にわたって光強度がほぼ均一になるように、光学的に設計されている。
【００３１】
図４は、イメージスキャナ１７の反射光入射口２２より内部上方に配置される読取部を構成する集光レンズとＣＣＤを、導光体２４とデータ媒体と共に示す図である。なお、図４には、図３に示した導光体２４の両端部の光源２５の図示を省略している。
【００３２】
図４に示すように、データ媒体２９（伝票又は通帳）は、導光体２４から拡散放射される照明光２８により、一点鎖線ｃで示す主走査方向のデータ記録面ｄを照明される。このデータ記録面ｄで反射された反射光３０は、集光レンズ３１で収斂され、ＣＣＤ３２の受光面に結像する。
【００３３】
このＣＣＤ３２の受光面に結像する画像データは、データ媒体２９のデータ記録面ｄに加えて、このデータ記録面ｄに続く外側の背景データｅ１、ｅ２も反射光３０´となって結像する。
【００３４】
このように、伝票や通帳等のデータ媒体２９から、イメージスキャナ１７のＣＣＤ３２に読み取られた画像データは、後にＯＣＲ（Optical Character Recognition/Reader）処理により、データ媒体２９の白地の外形の傾きによって斜行補正などの画像補正が行われる。
【００３５】
このＯＣＲ処理に際して、データ媒体２９の白地のエッジ部分が鮮明になるように、イメージスキャナ１７の読取部（反射光入射口２２）に対面する対向部は、黒ローラ２３のようにローラ表面を黒くし、その近傍の総合搬送路９の下面（下部フレーム８の上面）も黒い搬送面となっている。
【００３６】
イメージスキャナ１７によるデータ媒体の読み取りに際しては、黒ローラ２３は、一定の圧力でデータ媒体を読取部（反射光入射口２２）に押し付けるように動作して、読取データが読み取り面の紙のシワなどの影響を受けにくいようにしている。
【００３７】
これにより、イメージスキャナ１７つまりＣＣＤ３２に読み取られたデータ媒体２９の画像の周囲（背景データｅ１、ｅ２の部分）は黒い背景となっている。ところで、このようなイメージ読取装置１で読み取られた読取画像の両側端部に明度の低い部分が発現することは前述した。
【００３８】
図５は、周囲の黒い背景と共にＣＣＤ３２に結像したデータ媒体２９の画像を示す図である。図５に示すように、黒い背景データｅ１、ｅ２の中に、データ媒体２９の画像が結像している。そのデータ媒体２９の画像の両側端部２９ａ、２９ｂは、明度が低下している。この明度の低下率は、測定すると、およそ１０％であった。
【００３９】
しかしながら、何ゆえ、このようにデータ媒体２９の画像の両側端部２９ａ、２９ｂの明度が低下するのか、種々照明の方法を変えて実験してみたが、その原因が全く不明であった。しかし、ここで種々論議を重ねた結果、周囲の黒い背景が原因となっているとの結論に達した。
【００４０】
図６は、そのような、データ媒体２９の画像の両側端部２９ａ、２９ｂの明度が低下する原因は周囲の黒い背景にあることを説明する図である。図６に示す導光体２４を用いた照明光２８は、一旦データ媒体２９の紙面を照射した光が、イメージスキャナ１７の反射光入射口２２やその四方へ散乱する。それと同時に導光体２４の光学面にも散乱する。この散乱光が反射光として再度紙面を照射する。
【００４１】
結果として白い紙面部分の中央部分はより明るくなり、データ媒体２９が無い黒背景部ｅ１、ｅ２に隣接する紙面両側端部２９ａ、２９ｂは、黒背景部ｅ１、ｅ２からの散乱光が無い分、導光体２４から再度紙面を照射する反射光が無く、その分だけ明度が低下するといった現象が考えられた。
【００４２】
図７(a),(b)は、上記の現象を数値的に確認するために、記録面幅の異なるデータ媒体で紙面両側端部の明度低下部分がどのように変化するか調べた実験の態様を示す図である。同図(a)のデータ媒体２９−１は記録面幅３３ａが比較的広いもの、同図(b)のデータ媒体２９−２は記録面幅３３ｂが比較的狭いものを示している。
【００４３】
図７(a),(b)に示すように、データ媒体２９−１、２９−２は、左側端部は挿入口（伝票口６及び通帳口７）の特には図示しない端部位置決め部材によって、挿入口の左壁面から一定距離だけ離れるように位置を規制されながら搬送される。
【００４４】
そのため、データ媒体２９−１、２９−２の左側端部に隣接する黒背景部ｅ１の幅は一定している。このため、データ媒体２９−１、２９−２の左側端部に現れる明度低下部２９−１ａ、２９−２ａの幅は同一である。つまり、黒背景部ｅ１の幅が決まれば明度低下部２９−１ａ、２９−２ａの幅も決まると考えられた。
【００４５】
ところが、データ媒体２９−１、２９−２の右側端部に着眼すると、右側端部に現れる明度低下部２９−１ｂ、２９−２ｂの幅が変動する。そこで図７(a)において、主走査方向の往路の走査線ｆにおける黒背景部ｅ１、明度低下部２９−１ａの走査線上の範囲と、復路の走査線ｇにおける黒背景部ｅ２、明度低下部２９−１ｂの走査線上の範囲を画素数で調べた。
【００４６】
なお、図７(a),(b)では、図示して説明する都合上、往路の走査線ｆと復路の走査線ｇとを、２本に分けて離した状態で示しているが、実際には同一の主走査線を示すものである。
【００４７】
図７(b)においても、同様に、主走査方向の往路の走査線ｆにおける黒背景部ｅ１、明度低下部２９−２ａの走査線上の範囲と、復路の走査線ｇにおける黒背景部ｅ２、明度低下部２９−２ｂの走査線上の範囲を画素数で調べた。
【００４８】
その結果、データ媒体２９（２９−１、２９−２）の両側端部の明度低下部２９−１ａ、２９−１ｂ、２９−２ａ，２９−２ｂの幅（走査線上では長さ、以下同様）は、隣接する黒背景部ｅ１、ｅ２の一定範囲の幅までは、黒背景部ｅ１、ｅ２の幅に比例し、一定範囲を超えると、明度低下の影響が一定となることが判明した。
【００４９】
図８は、上記の実験に基づいて作成された、黒背景部の幅に対応するデータ媒体の側端部の明度低下部の幅との関係を示す図表である。図８は縦ｈの方向に黒背景部ｅ１、ｅ２の幅に対応する黒画素のドット数を示し、横ｉの方向に、黒画素のドット数により明度低下の影響を受けるデータ媒体２９の側端部２９ａ、２９ｂの画素（白画素とする）列のドットの順位を示している。
【００５０】
なお、図８の図表で、各黒画素のドット数と各白画素列のドットの順位が対応するデータ欄に示す「＋ｘ％」は、明度低下率「−ｘ％」を逆符号で表している。つまり、図８の図表は、黒画素のドット数と明度低下の影響を受ける白画素のドット列の明度低下率を示す対応表であると共に、白画素のドット列の明度低下の補正値を示す明度補正テーブルともなっている。
【００５１】
黒画素のドットが一定数（２９ドット）以上続かないと白画素の明度低下が起きないことが実験で判明しているので、図８の明度補正テーブルでは、２９ドット（約３ｍｍ長）から１ドットごと増加する黒画素のドット数を１００ドットまで示している。
【００５２】
なお、黒画素のドット数が１００ドット（約１０ｍｍ長）を越えてからでは、白画素の明度が低下する画素列の範囲は一定となるので、黒画素のドット数の最大値を１００ドットとしている。つまり、黒画素のドット数が１００ドットを超える場合は、黒画素のドット数が１００ドットである場合と同じ補正値で白ドット列の明度補正をすればよいことになる。
【００５３】
この１００ドットを超える黒画素数に対応して明度低下の影響を受ける白ドット列のドット数は順位が４００ドット目（４２．３ｍｍ）までであるので、図８の明度補正テーブルで、横ｉの方向に並ぶ白ドットは順位が４００ドット目までとなっている。
【００５４】
このように、隣接の黒画素の連続ドット数で明度低下の影響を受ける白ドット列の最大領域は４００ドットであるので、白ドット列のドット数が４００ドットまでの補正値が明度補正テーブルに設定されている。
【００５５】
この明度補正テーブルによると、例えば、黒画素の連続ドット数が３１ドット「★印」の場合は、それに隣接するデータ媒体の白画素のドット列では、１ドット目は＋６％明るくする補正値を掛け、２ドット目は＋６％明るくする補正値を掛け、３ドット目は＋５％明るくする補正値を掛け、・・・、といった形で明度が補正されていく。
【００５６】
図９(a)は、本例のイメージ読取処理を行う回路ブロック図であり、図９(b)は、そのＣＣＤ波形処理回路で行われる処理のフローチャートである。図９(a)において、先ず、イメージスキャナ１７のＣＣＤ３２に読み取られたデータ媒体２９の画像は、主走査のデータが副走査方向へ線順次にアナログ信号としてＡ／Ｄコンバータ３４に送出される。
【００５７】
Ａ／Ｄコンバータ３４は、入力されたアナログ信号を、例えば２５６階調のデジタル信号に変換して、ＣＣＤ波形処理回路３５に送出する。ＣＣＤ波形処理回路３５は、図９(b)に示すＣＣＤ波形処理を開始する（ステップＳ１０１）。
【００５８】
このＣＣＤ波形処理は、一般に行われている処理であり、先ず画像の周辺部におけるシェーディング補正を行う（ステップＳ１０２）。この処理では、集光レンズ３１の特性によって一義的に決まる補正値が用いられて補正が行われる。
【００５９】
そして、このＣＣＤ波形処理を完了する（ステップＳ１０４）。このＣＣＤ波形処理が完了したデジタル画像データは、デジタルデータ化部３６に送出される。
【００６０】
デジタルデータ化部３６は、不図示のイメージメモリを備えており、このイメージメモリに、ＣＣＤ波形処理が完了したデジタル画像データを展開する。画像補正回路３７は、イメージメモリに展開されたデジタル画像データに対し、明度補正を行う。
【００６１】
図１０は、イメージメモリに展開されたデータ媒体２９のデジタル画像データ（２９）を示す図である。画像補正回路３７は、デジタル画像データ２９を背景データｅ１、ｅ２の黒ドットも含めて、主走査方向に、矢印ｊ及びｋで示すように往復走査する。
【００６２】
矢印ｊで示す往路の走査では、背景データｅ１の黒ドット数を計数し、黒の背景からデジタル画像データ２９の白ドット部分２９ａに走査対象が移った時点で、１ドット目の白ドットから主走査上の白ドット列の明度補正を行う。この明度補正は図８に示す明度補正テーブルに基づいて行われる。
【００６３】
次に、矢印ｋで示す復路の走査では、背景データｅ２の黒ドット数を計数し、黒の背景からデジタル画像データ２９の白ドット部分２９ｂに走査対象が移った時点で、１ドット目の白ドットから主走査上の白ドット列の明度補正を行う。この明度補正も図８に示す明度補正テーブルに基づいて行われる。
【００６４】
なお、背景データｅ１の黒ドット数は、イメージ読取装置の機種によって左側端部の規制幅が決まっているので、予め、黒ドット数を例えば２９ドットに設定しておいて、往路の黒ドット数の計数は省くようにしてもよい。
【００６５】
また、復路の黒ドット数は、右端部から計数して１００ドットを超えた時点で、計数を中止し、走査対象が黒ドットから白ドットに移った時点で、図８に示す明度補正テーブルに基づいて、１ドット目の白ドットから、黒ドット数が１００ドット続いた場合の補正値で、主走査上の白ドット列の明度補正を行う。
【００６６】
なお、上述した実施例では、実施の形態の要旨を逸脱しない範囲内において種々の変更を加えることが出来ることは言うまでもない。例えば、図１１は、データ媒体２９の中央部分に黒ベタ画像が存在する場合の例を示している。
【００６７】
図１１の場合は、矢印ｊで示す往路の主走査で、背景データｅ１の黒ドット数を計数し、黒の背景から白ドット部分２９ａに走査対象が移った時点で、１ドット目の白ドットから主走査上の白ドット列の明度補正を行い、更に、黒ベタ画像３８の黒ドット数を計数し、黒ドットから白ドット部分２９ｂ´に走査対象が移った時点で、１ドット目の白ドットから白ドット列の明度補正を行う。
【００６８】
そして、矢印ｋで示す復路の走査では、背景データｅ２の黒ドット数を計数し、その計数と明度補正テーブルとに基づいて、白ドット部分２９ｂの白ドット列の明度補正を行い、更に、黒ベタ画像３８の黒ドット数を計数し、その計数と明度補正テーブルとに基づいて、白ドット部分２９ａ´の白ドット列の明度補正を行う。
【００６９】
このように、樹脂製の格安な導光体によって光を拡散させてデータ媒体を一様に照明する方式を用い、その場合に生じる両端部の明度が低下する現象を、一本の主走査線ごとに往復走査するだけで明度補正を行うことができるので、低廉なイメージ読取装置を提供することができる。
【産業上の利用可能性】
【００７０】
本発明は、イメージ読取装置の読取画像の両側端部に発現する明度の低下を補正するイメージ読取装置に利用することができる。
【符号の説明】
【００７１】
１  イメージ読取装置
２  筐体
３  蓋部材
４  傾斜面
５  操作パネル部
６  伝票口
７  通帳口
８  下部フレーム
９  総合搬送路
１１  伝票搬送路
１２  伝票搬送ローラ対
１３  通帳搬送路
１４  通帳搬送ローラ対
１５  セパレータ
１６  印字ヘッド
１７  イメージスキャナ
１８  頁めくりユニット
１９、２１  搬送ローラ対
２２  反射光入射口
２３  黒ローラ
２４  導光体
２５  光源
２６  高輝度ＬＥＤ（light emitting diode）
２７  基板
２８  照明光
２９（２９−１、２９−２）  データ媒体
２９ａ、２９ｂ、２９−１ａ、２９−１ｂ、２９−２ａ、２９−２ｂ  端部
３０  反射光
３１  集光レンズ
３２  ＣＣＤ(Charge Coupled Device）
３３ａ、３３ｂ  記録面幅
３４  Ａ／Ｄコンバータ
３５  ＣＣＤ波形処理回路
３６  デジタルデータ化部
３７  画像補正回路
３８  黒ベタ画像
【図２】
2014204147.tif 000003
【図８】
2014204147.tif 000004
【図９】
2014204147.tif 000005
【図１】
2014204147.tif 000006
【図３】
2014204147.tif 000007
【図４】
2014204147.tif 000008
【図５】
2014204147.tif 000009
【図６】
2014204147.tif 000010
【図７】
2014204147.tif 000011
【図１０】
2014204147.tif 000012
【図１１】
2014204147.tif 000013